(57)【特許請求の範囲】
【請求項１】
鉄筋群により、上下方向に長い籠状に組み立てられた鉄筋籠本体と、
この鉄筋籠本体に上下方向に沿って設けられ、コンクリート構造物の剪断力に対する補強が可能であるとともに可撓性を有した剪断筋をガイドするガイド管と、
を備え、
前記ガイド管は、上端部の開口部が、前記鉄筋籠本体の上部で上方に向けて開口され、下端部には水平方向に湾曲された湾曲部を備え、かつ、この湾曲部に連続する下端部の開口部が横方向に向けて開口されていることを特徴とする鉄筋籠。
【請求項２】
請求項１に記載の鉄筋籠を用いて地中にコンクリート構造物を構築する地中コンクリート構造物構築方法であって、
地盤を地表から下方に掘削して掘削溝を形成する掘削工程と、
前記掘削溝の下部に拡幅掘削装置を挿入し、前記掘削溝を横方向に拡幅して拡幅溝を掘削する拡幅工程と、
前記ガイド管の前記下端部の開口部を前記拡幅溝壁面に向けた状態で前記掘削溝内に前記鉄筋籠を設置する鉄筋籠設置工程と、
前記コンクリート構造物の剪断力に対する補強が可能な強度を有するとともに可撓性を有した素材により棒状に形成された剪断筋を、上方に向けた前記上端部の開口部から前記ガイド管に挿入し、前記剪断筋が、前記下端部の開口部から前記拡幅溝内に配置されるまで供給する剪断筋供給工程と、
前記ガイド管内に定着材を充填し、前記剪断筋を前記ガイド管に対して固定させる定着材充填工程と、
前記掘削溝及び拡幅溝にコンクリートを打設するコンクリート打設工程と、
を備えていることを特徴とする地中コンクリート構造物構築方法。
【請求項３】
前記掘削溝は、前記コンクリート構造物としての地中連続壁を形成するために、この地中連続壁の延在方向に連続して掘削される掘削溝の１つであり、
前記拡幅溝は、前記延在方向に交差する方向に形成されていることを特徴とする請求項２に記載の地中コンクリート構造物構築方法。
【請求項４】
前記地中連続壁に沿って地中に埋設物が延在されており、
前記拡幅工程では、前記拡幅溝を、前記埋設物の下方位置において、構築後の前記拡幅壁が前記埋設物の荷重を支持可能な深さに掘削することを特徴とする請求項３に記載の地中コンクリート構造物構築方法。
【請求項５】
地中において第１の方向に連続して形成された鉄筋コンクリート製の地中連続壁と、
この地中連続壁と一体に前記第１の方向に対して交差する第２の方向に延在された拡幅壁と、
を備え、
前記地中連続壁において前記拡幅壁に対して前記第２の方向に重なる位置の内部に、請求項１に記載の鉄筋籠が配置され、
前記拡幅壁の内部に、前記鉄筋籠の前記ガイド管の前記下端部の開口部から延在された前記剪断筋が配置されていることを特徴とする地中コンクリート構造物。
【発明の詳細な説明】
【技術分野】
【０００１】
本発明は、鉄筋籠及びこの鉄筋籠を用いた地中コンクリート構造物構築方法並びに地中コンクリート構造物に関し、特に、地中連続壁などの地中コンクリート構造物を形成する際に、掘削溝を拡幅して形成した拡幅溝に、鉄筋などの剪断力を補強する部材を設置する技術に関するものである。
【背景技術】
【０００２】
従来、地盤を地表から掘削した掘削溝を地中において拡幅することが可能な拡幅掘削装置が知られている（例えば、特許文献１参照）。
【０００３】
この特許文献１に記載の拡幅掘削装置は、クレーンのアームから吊り下げられた装置本体と、油圧モータにより回転される掘削軸を備えた掘削部と、この掘削部を装置本体に対して水平方向の回動軸を中心に上下方向に回動させる油圧シリンダとを備えている。
【０００４】
このような拡幅掘削装置により、掘削溝の拡幅を行う場合、掘削軸を装置本体に対して垂下させた状態の装置本体を、クレーンのアームに吊り下げ、さらに、掘削溝の底部まで下降させる。次に、掘削軸を回転させながら、油圧シリンダを駆動させて、掘削部を装置本体に対して水平方向に回動させ掘削溝を拡幅でき、さらに、装置本体をクレーンにより引き上げて、拡幅溝を上方に延長できる。
【０００５】
このような拡幅掘削装置は、例えば、地中連続壁を形成するのにあたり、地中連続壁の延在方向に下水管のような地中埋設物が存在する場合、この地中埋設物を避けて、その下方のみを拡幅掘削して拡幅溝を形成し、この拡幅溝にコンクリートを充填し、地中連続壁の連続性を保つことが可能である。
【０００６】
また、拡幅溝にコンクリートの打設前に、鉄筋籠を設置する技術も知られている（例えば、特許文献２参照）。
【０００７】
この従来技術によれば、拡幅溝に鉄筋籠を設置する場合、掘削溝内に鉄筋籠をフレームに沿って吊り降ろし、フレームから拡幅溝に向けて張り出させた張出部に沿って、鉄筋籠を移動させ、拡幅溝内に鉄筋籠を設置する。
【先行技術文献】
【特許文献】
【０００８】
【特許文献１】特開平１１−１９００４３号公報
【特許文献２】特開平１１−１４０８６５号公報
【発明の概要】
【発明が解決しようとする課題】
【０００９】
しかしながら、従来の拡幅掘削装置を用いた地中コンクリート構造物構築方法では、拡幅溝を地中連続壁の延在方向に対して交差方向に拡幅したい場合、拡幅溝に鉄筋籠を設置するのが困難であった。
【００１０】
すなわち、地中連続壁を形成する掘削溝を形成する場合、地中連続壁の延在方向には長さを確保できるが、その直交方向の溝幅は、一定の寸法に制限される。
【００１１】
したがって、地中連続壁の延在方向に拡幅溝を形成した場合、この拡幅溝の拡幅方向に必要な寸法の鉄筋籠を、掘削溝内に挿入させることは可能である。それに対し、拡幅溝を、地中連続壁の延在方向に交差する方向に形成した場合、この拡幅溝に拡幅方向に必要な寸法の鉄筋籠を掘削溝内に挿入させるには、掘削溝の溝幅を拡大する必要が生じる。
【００１２】
そのため、掘削溝の溝幅を拡大した場合は、その分、施工工数が増えてしまうという問題がある。また、用地境界や他の構造物による制限などにより溝幅の拡大が困難な場合があり、この場合、拡幅溝に鉄筋籠を設置するのが困難となる。
【００１３】
本発明は、上述の従来の問題点に着目して成されたもので、地中連続壁の壁幅を拡幅することなく、拡幅溝の延在方向に十分な鉄筋を設置可能な、鉄筋籠及び鉄筋籠を用いた地中コンクリート構造物構築方法並びに地中コンクリート構造物を提供することを目的とするものである。
【課題を解決するための手段】
【００１４】
上述の目的を達成するために本発明の鉄筋籠は、鉄筋籠本体に、上下方向に沿って、コンクリート構造物の剪断力に対する補強が可能であるとともに可撓性を有した剪断筋をガイドするガイド管を設け、このガイド管は、上端部の開口部が、前記鉄筋籠本体の上部で上方に向けて開口され、下端部には水平方向に湾曲された湾曲部を備え、かつ、この湾曲部に連続する下端部の開口部が横方向に向けて開口されていることを特徴とする鉄筋籠とした。
【００１５】
また、本発明の地中コンクリート構造物構築方法は、請求項１に記載の鉄筋籠を用いて地中にコンクリート構造物を構築する地中コンクリート構造物構築方法であって、
地盤を地表から下方に掘削して掘削溝を形成する掘削工程と、前記掘削溝の下部に拡幅掘削装置を挿入し、前記掘削溝を横方向に拡幅して拡幅溝を掘削する拡幅工程と、前記ガイド管の前記下端部の開口部を前記拡幅溝壁面に向けた状態で前記掘削溝内に前記鉄筋籠を設置する鉄筋籠設置工程と、前記コンクリート構造物の剪断力に対する補強が可能な強度を有するとともに可撓性を有した素材により棒状に形成された剪断筋を、上方に向けた前記上端部の開口部から前記ガイド管に挿入し、前記剪断筋が、前記下端部の開口部から前記拡幅溝内に配置されるまで供給する剪断筋供給工程と、前記ガイド管内に定着材を充填し、前記剪断筋を前記ガイド管に対して固定させる定着材充填工程と、前記掘削溝及び拡幅溝にコンクリートを打設するコンクリート打設工程と、を備えていることを特徴とする地中コンクリート構造物構築方法とした。
【００１６】
また、本発明の地中コンクリート構造物は、地中において第１の方向に連続して形成された鉄筋コンクリート製の地中連続壁と、この地中連続壁と一体に前記第１の方向に対して交差する第２の方向に延在された拡幅壁と、を備え、前記地中連続壁において前記拡幅壁に対して前記第２の方向に重なる位置の内部に、請求項１に記載の鉄筋籠が配置され、前記拡幅壁の内部に、前記鉄筋籠の前記ガイド管の前記下端部の開口部から延在された前記剪断筋が配置されていることを特徴とする地中コンクリート構造物とした。
【発明の効果】
【００１７】
本発明の鉄筋籠は、剪断筋を水平方向に導くガイド管を設けた。このため、本発明の鉄筋籠を用いた地中コンクリート構造物構築方法のように、鉄筋籠を、ガイド管の下端部の開口部を拡幅溝の方向に向けて掘削溝内に設置した後、剪断筋を、ガイド管の上方へ向けた上端部の開口部から挿入し下方に供給することで、下端部の開口部から、拡幅溝内へ向けて水平方向に導くことができる。
【００１８】
したがって、掘削溝の溝幅寸法に制限されることなく、拡幅溝において拡幅方向に必要な長さの剪断筋を設置することが可能である。
【図面の簡単な説明】
【００１９】
【図１】本発明の実施の形態の鉄筋籠を示す側面図である。
【図２】実施の形態の鉄筋籠を用いた地中コンクリート構造物構築方法の掘削工程の説明図である。
【図３】実施の形態の鉄筋籠を用いた地中コンクリート構造物構築方法の拡幅工程の説明図である。
【図４】実施の形態の鉄筋籠を用いた地中コンクリート構造物構築方法の鉄筋籠設置工程及び剪断筋供給工程の説明図である。
【図５】実施の形態の鉄筋籠を用いた地中コンクリート構造物構築方法で使用する拡幅掘削装置を示す側面図である。
【図６】地中コンクリート構造物を示す断面図である。
【発明を実施するための形態】
【００２０】
以下に、図１〜図６に基づいて、この発明の実施の形態の鉄筋籠及び鉄筋籠を用いた地中コンクリート構造物構築方法並びに地中コンクリート構造物について説明する。
【００２１】
ここで、まず、本実施の形態で構築する地中コンクリート構造物について簡単に説明する。
【００２２】
この地中コンクリート構造物は、図６の断面図に示すように、矢印ＲＨ方向（第１の方向）に延在する地中連続壁１と、この地中連続壁１の一部から、延在方向の直交方向（矢印ＴＨであって第２の方向）に延びる拡幅壁２とを備えている。
【００２３】
この拡幅壁２は、図４に示す水道管, 下水管，ガス管, 通信ケーブルなどの地中埋設物３の下方に配置されて、地盤ＧＲの施工時に、この地中埋設物３の支持を行うとともに、地中連続壁１のアンカ効果を得るためのものである。本実施の形態では、図６に示すように、地中埋設物３は、地中連続壁１に沿って埋設されている。
【００２４】
次に、図１に基づいて、実施の形態の鉄筋籠４について説明する。
【００２５】
この鉄筋籠４は、鉄筋籠本体４１と複数のガイド管４２とを備えている。
【００２６】
鉄筋籠本体４１は、地中連続壁１を形成するために掘削された掘削溝５１（図３参照）に設置され、この掘削溝５１に打設するコンクリートを補強するための従来から周知の鉄筋籠に相当するものであり、予め上下方向に長い網状または籠状に組み立てられた鉄筋群で形成されている。本実施の形態では、上下方向に延在された主鉄筋群４１ａと、この主鉄筋群４１ａに対し、水平方向に組み付けられた剪断補強鉄筋群４１ｂとにより形成されている。
【００２７】
なお、本実施の形態では、この鉄筋籠本体４１は、上方から見て矩形の枠状に形成されているとともに、図１に示すように、側方から見て上下方向に長い長方形の枠状に形成されている。また、剪断補強鉄筋群４１ｂは、ガイド管４２を鉄筋籠本体４１の内側に支持可能なように、図示は省略するが鉄筋籠本体４１の内側において水平方向に架け渡されている。
【００２８】
複数のガイド管４２は、鉄筋籠本体４１の内部に設けられている。
【００２９】
これらのガイド管４２は、樹脂、金属などにより円形あるいは多角形の筒状に形成されており、上下方向に直線状に延びる直管状の主管部４２１と、この主管部４２１の下端部に取り付けられて下端開口部４２２ａが水平方向を向くように曲げられたＪ字形状の湾曲管部（湾曲部）４２２とを備えている。なお、主管部４２１の上端部は、その先端の上端開口部４２１ａを上方に向けて、鉄筋籠本体４１から上方に突き出て設置されている。
【００３０】
本実施の形態では湾曲管部４２２は、上下方向から水平方向へ略９０度湾曲されて、その下端の下端開口部４２２ａは、略水平方向を向いている。
【００３１】
また、湾曲管部４２２は、３通りの高さに配置されている。これら湾曲管部４２２は、同一形状・同一寸法のものが用いられており、主管部４２１の長さを３通り設定することにより、図示のように、湾曲管部４２２が、３通りの高さに配置されている。
【００３２】
また、本実施の形態では、上記のように３通りの高さのガイド管４２を１組として、水平方向に複数組設置しているものとする。
【００３３】
次に、上述した実施の形態の鉄筋籠４を用いて前述した地中コンクリート構造物を構築する手順を説明する。
【００３４】
なお、本実施の形態では、地中コンクリート構造物を構築後に、地中埋設物３が埋設された地盤を施工する際に、地中埋設物３を拡幅壁２により支持するもので、拡幅壁２は、地中連続壁１の延在方向に所定の間隔を空けて複数構築する。
【００３５】
そこで、本実施の形態では、拡幅壁２を形成する位置における地中連続壁１の一部及び拡幅壁２を構築する手順を説明する。
【００３６】
（掘削工程）
まず、図２に示すように、掘削装置６により地盤ＧＲを地表ＳＦから下方へ掘削して掘削溝５１を形成する。この掘削溝５１は、図６に示す地中連続壁１を構築するためのものであり、図６において二点鎖線で示す範囲が、掘削装置６による１回の掘削で形成された掘削溝５１を示している。
【００３７】
（拡幅工程）
掘削溝５１を形成した後、拡幅壁２を形成する箇所では、地中連続壁１の延在方向に対して直交方向に拡幅する拡幅工程を実行する。
【００３８】
この拡幅工程には、拡幅掘削装置８を用いる。この拡幅掘削装置８は、図５に示すように、掘削装置本体８１から垂下された掘削軸８２が、掘削装置本体８１に対して、上下方向に回動可能に支持されたものであり、かつ、掘削装置本体８１には、掘削軸８２を回転させる駆動源であるモータ８３が搭載されている。
【００３９】
この拡幅工程では、図３に示すクレーン７のブーム７１に吊り下げた拡幅掘削装置８を、まず、掘削軸８２を下方に向けた状態（この状態の図示は省略する）で、掘削溝５１内の所定の高さまで降下させる。本実施の形態では、この所定の高さは、掘削溝５１の底部とする。また、このとき、掘削軸８２の上下方向に回動させる際の回動中心軸が地中連続壁１の延在方向である矢印ＲＨ方向（図６参照）を向くように配置する。
【００４０】
次に、掘削軸８２を、回転させながら略水平となるまで上方に回動させる。この回動方向は、図６において矢印ＲＨで示す延在方向に直交する矢印ＴＨ方向であって、掘削軸８２が、地中埋設物３の下方に配置される向きである。
【００４１】
さらに、掘削軸８２を回転させながら、クレーン７により、拡幅掘削装置８を掘削溝５１に沿って上昇させ、図３に示すように、拡幅溝５２を、地中埋設物３の近傍の高さまで上方に延ばす。このようにして、地中埋設物３の下方に拡幅溝５２を形成する。なお、この拡幅溝５２の上端位置の深さは、後述するコンクリート打設工程を実施して、拡幅溝５２に拡幅壁２が形成された際に、地下埋設物３の荷重を支持可能な深さとなるように、設定している。
【００４２】
また、この拡幅工程及び掘削工程では、掘削溝５１及び拡幅溝５２のスライム処理が同時に行われる。
【００４３】
なお、拡幅工程に用いる拡幅掘削装置８としては、本実施の形態では、図３及び図５では掘削軸８２が１本のものを示しているが、掘削軸を２本以上の複数備えたものを用いてもよい。このように掘削軸を複数備えたものは、掘削軸が１本のものよりも拡幅溝５２の水平方向の幅を拡げ、拡幅壁２の水平方向の壁厚を厚く形成することが可能である。
【００４４】
（鉄筋籠設置工程）
次に、掘削溝５１に、実施の形態の鉄筋籠４を設置する。
【００４５】
この設置時に、鉄筋籠４は、ガイド管４２の下端開口部４２２ａが拡幅溝５２の壁面５２ａの方向を向いて対向するように水平方向の向きを設定した上で掘削溝５１内に吊り下げ、さらに、図４に示すように、各ガイド管４２の下端開口部４２２ａが、拡幅溝５２の壁面５２ａに正対する高さまで降下させる。
【００４６】
（剪断筋供給工程）
次に、剪断筋９を、各ガイド管４２の上端開口部４２１ａからガイド管４２に挿入する。この剪断筋９は、ＰＣ鋼より線や直径の細い鉄筋などのコンクリート構造物の剪断力に対する補強が可能であり、かつ、可撓性を有したものである。例えば、剪断筋９として、一般にフレキシブル鉄筋と呼ばれ、鋼製の素線をより線としたものを用いており、付着性に優れ、加えて伸直性も併せ持っている。
【００４７】
そこで、剪断筋９の各ガイド管４２内への供給を続けると、剪断筋９は、主管部４２１を下方に下り、さらに、湾曲管部４２２により水平方向に導かれ、下端開口部４２２ａから、その開口方向である拡幅溝５２内を壁面５２ａに向けて導かれる。
【００４８】
この剪断筋９のガイド管４２への挿入量を適正に管理することにより、図４に示すように、剪断筋９を、各ガイド管４２から、確実に拡幅溝５２内に必要な長さだけ配置することができる。このとき、剪断筋９は、伸直性を有しているため、各ガイド管４２の下端開口部４２２ａから下方に垂れることが無く直線的に拡幅溝５２内に配置される。逆に言えば、剪断筋９としては、可撓性に加え、このように下端開口部４２２ａから水平方向に延在させた際に、下方に垂れることのない形状保持性（伸直性）を有するものを用いる。
【００４９】
（定着材充填工程）
次に、ガイド管４２の上端開口部４２１ａからガイド管４２内に定着材を充填し、剪断筋９をガイド管４２に定着させる。本実施の形態では、定着材としてモルタルを用いるものであり、コンクリートに比べ、ガイド管４２の途中で詰まりが生じにくいとともに、硬化後は剪断筋９を確実に定着できる。また、その後のコンクリート打設時に、コンクリートとの結合性にも優れる。
【００５０】
（コンクリート打設工程）
次に、掘削溝５１及び拡幅溝５２内にコンクリートを打設する。
【００５１】
これにより、掘削溝５１内のコンクリートは、地中連続壁１を構成する既設部分に延在方向に連続して結合し、かつ、地中連続壁１に対して直交する方向に拡幅壁２が一体に形成される。したがって、拡幅壁２の構築後は、図６に示すように、地中埋設物３が拡幅壁２に支持される。
【００５２】
その後、地中連続壁１を構築するのにあたり、掘削溝５１を矢印ＲＨ方向である延在方向に連続して形成しコンクリートの打設を行う。そして、地中連続壁１を矢印ＲＨ方向に所定長さだけ構築するごとに、上述の手順を繰り返して拡幅壁２を形成し、地中埋設物３を、所定間隔の複数の拡幅壁２により支持した状態とする。
【００５３】
したがって、地中連続壁１の構築後に、地中埋設物３が埋設された地盤ＧＲを施工する際に、地中埋設物３の下方の地盤ＧＲを掘削する場合でも、別途、地盤改良などの補助工法を実施すること無しに、地中埋設物３を支持することができる。
【００５４】
以上説明した本実施の形態の鉄筋籠を用いた地中連続壁の構築方法にあっては、以下に列挙する効果を奏する。
【００５５】
ａ）鉄筋籠４に剪断筋９を水平方向へガイド可能なガイド管４２を設けたため、掘削溝５１に配置した鉄筋籠４から剪断筋９を拡幅溝５２へ供給することが可能となった。よって、掘削溝５１の溝幅を必要以上に広げることなく、拡幅溝５２への剪断筋９の供給が可能となり、地中連続壁１の延在方向に交差する方向への拡幅壁２を有した地中コンクリート構造物の構築が可能となった。
【００５６】
加えて、掘削溝５１の拡幅が不要であることから、地中連続壁１が、例えば、用地境界に隣接しているような掘削溝の幅に制限がある場合に、特に有効である。
【００５７】
ｂ）上記ａ）のように実施の形態の鉄筋籠４を用いたことにより、地中連続壁１が延在された第１の方向に対し、これに直交（交差）する第２の方向に一体に延在する拡幅壁２を備え、この拡幅壁２の内部に、鉄筋籠４から延びる複数の剪断筋９が上下方向に複数並設された、新規な地中コンクリート構造を提供することが可能となった。また、このように拡幅壁２の内部には剪断筋９が配置されているため、拡幅壁２の上方に地中埋設物３が存在する場合に、十分な支持強度を確保することができる。
【００５８】
しかも、拡幅壁２に配置する剪断筋９の数は、ガイド管４２の設置数により、任意に設定可能であり、設計自由度に優れる。
【００５９】
ｃ）ガイド管４２に挿通した剪断筋９は、定着材としてのモルタルによりガイド管４２に定着させるようにしたため、剪断筋９による剪断方向の補強効果を確実に得ることが可能となった。しかも、定着材としてモルタルを使用しているため、汎用性に優れ、かつ、コンクリートとの結合性にも優れる。
【００６０】
ｄ）上記ａ）ｂ）のように、地中連続壁１に直交方向に高い強度を有した拡幅壁２を一体に構築できたとともに、この拡幅壁２を地中埋設物３の下方に配置した。このため、この地中埋設物３が存在する地盤ＧＲを掘削するような施工を行なう場合に、別途、地中埋設物３の支持を可能とする地盤改良などの補助工法を行なうことなしに、地中埋設物３の下方の地盤ＧＲを掘削することが可能となり、工事の手間を削減可能である。
【００６１】
ｅ）上記ａ）ｂ）のように、地中連続壁１に直交方向に高い支持強度を有した拡幅壁２を一体に構築できた。このため、拡幅壁２を剪断抵抗部として築造することにより、この拡幅壁２を、地中コンクリート構造物全体としての浮き上がり防止構造として評価することが可能となる。したがって、拡幅壁２を有しないものと比較して、地中連続壁１の長さを短くすることも可能となり、その分、コスト低減を図ることが可能となる。
【００６２】
ｆ）ガイド管４２は、主管部４２１と湾曲管部４２２とを別体に形成したため、湾曲管部４２２として同一の形状のものを用い、剪断筋９の配置に応じて、主管部４２１の長さを変えることで、各ガイド管４２の形状を変えることが可能である。したがって、各ガイド管４２の形状を異ならせて一体に形成したものと比較して、コスト低減を図ることができる。
【００６３】
以上、図面を参照して本発明の実施の形態を詳述してきたが、具体的な構成は、この実施の形態に限らず、本発明の要旨を逸脱しない程度の設計的変更は、本発明に含まれる。
【００６４】
例えば、鉄筋籠の形状は、実施の形態に示したものに限定されず、上方から見た形状は、円形、多角形などその形状は任意であり、また、側方から見た形状も、実施の形態で示した形状に限定されない。
【００６５】
また、ガイド管についても、その数や設置位置も実施の形態に示したものに限定されず、必要な剪断筋に応じて任意に設定できる。また、剪断筋についても、拡幅溝において強度あるいは形状に応じ数、長さ、配置は任意に設定することができる。この場合、実施の形態のように、ガイド管は、鉄筋籠を上方から見てその内部に設置するものに限らず、外部に設置してもよい。
【００６６】
また、実施の形態では、ガイド管を、主管部と湾曲管部とは別体に形成したものを示したが、これらを別体にすることなく一体に形成してもよい。さらに、実施の形態では、ガイド管の湾曲部にて９０度湾曲させて、下端部の開口部を水平方向に向けたものを示したが、この湾曲角度は、９０度未満や９０度以上として、下端部の開口部を斜め下向きや、斜め上向きとしてもよい。
【００６７】
また、コンクリート構造物として、延在方向の直交方向に拡幅壁を備えた地中連続壁を示したが、掘削溝に拡幅溝を形成し、コンクリートを打設するものであれば、これに限定されない。また、拡幅溝は、地中連続壁の延在方向の直交方向に拡幅したものを示したが、その角度は、直交方向に限定されず、地中連続壁の延在方向に交差する方向であれば、直交方向以外の方向であってもよい。あるいは、延在方向の交差方向のみならず、拡幅溝を地中連続壁の延在方向に形成する場合にも適用可能である。
【００６８】
また、実施の形態では、定着材としてモルタルを示したが、これに限定されず、樹脂など充填後硬化するものであれば、他のものを用いてもよい。
【符号の説明】
【００６９】
１     地中連続壁（地中コンクリート構造物）
２     拡幅壁（地中コンクリート構造物）
３     地中埋設物
４     鉄筋籠
８     拡幅掘削装置
９     剪断筋
４１   鉄筋籠本体
４２   ガイド管
５１   掘削溝
５２   拡幅溝
５２ａ  壁面
４２１ａ上端開口部（上端部の開口部）
４２２ 湾曲管部（湾曲部）
４２２ａ下端開口部（下端部の開口部）
ＧＲ   地盤
ＳＦ   地表
【図１】
0005681583.tif 000002
【図２】
0005681583.tif 000003
【図３】
0005681583.tif 000004
【図４】
0005681583.tif 000005
【図５】
0005681583.tif 000006
【図６】
0005681583.tif 000007